(57)【要約】      （修正有）【課題】観賞魚を飼育する上で、水質を出来るだけ汚さず、良い環境を長く持続し、しかも装置管理が容易な観賞魚用水濾過装置の提供。【解決手段】水槽の上に、もうひとつの、容器を載せる形です。その中を、（１）フィルター、（２）浄化ストーン、（３）フィルターと水が、通る仕組みになっています。それによって、１番目のフィルターで、汚物を除去、その部屋に、閉じ込めます。次に、２番目の、浄化ストーンで、アンモニア等の汚染物質を浄化します。水が、装置内では、満水状態なので、浄化ストーンの効果が発揮できます。装置内のフィルターは、市販されている板状のものと、丸状を使用していて、装置内の水が通るとき、極めて多量のフィルターを通過する仕組みになっている為、装置の大きさに比べ濾過効果が優れています。【選択図】図１
0003122178.tif 000002
【実用新案登録請求の範囲】
【請求項１】
水槽又は、小さな池型容器において、水槽（容器）の上に、もうひとつの、容器を載せる形にして、その中を、▲１▼フィルター、▲２▼浄化ストーン、等を設置して、水が通る仕組みになっています。
濾過装置の長て側を十分生かし、フィルター、浄化ストーンを水が長い距離で通過し濾過する。装置は、上値式になついて、しかも透明にすることで、汚れ具合が判る構造になっている。
浄化ストーンが、水中にあるために、効果が最大限に発揮できる構造になっている。、
【請求項２】
水槽又は、小さな池型容器において、水槽の上に、容器を載せる形になっていることで、洗浄のために水槽から、離脱するとき、汚水が、水槽に落ちない構造になっている。
【考案の詳細な説明】
【技術分野】
【０００１】  本考案は、観賞用の水槽、小池、等の水を、できるだけ、汚れないように、にごらないように効率よく、フィルターで濾過し、浄化ストーンの効果を効率よく発揮することによって、水がきれいになる道具。また、洗浄の簡単さで、継続的管理も簡単な道具である。
【背景技術】
【０００２】  今までの、市販の簡便フィルターは、汚物を濾すのみで、しかも、フィルターの通る面が短かった。汚物が水に溶けると、濾すことが出来ず、したがって、水がにごったり、汚染物質が残留したりして、観賞魚等が元気が無くなったり、病気になったりして、飼育が、難しかった。
何とか、簡便で格安な装置があれば、良いと思った。
【考案の開示】
【考案者が解決しようとする課題】
【０００３】  水の、汚物を、溶けにくく、尚、アンモニア、等の腐敗物の除去を、簡単にできる方法が、あれば良いと考えた。
しかも、装置の洗浄が、簡単にできれば、尚良いと、考えました。
【課題を解決しようとする手段】
【０００４】  まず、自然の小川を創造し、上流から下流に、水を流すようにして、一番川上で、汚物を、フィルターで分離する。次に、市販の浄化ストーンを通します。最後にもう一度フィルターを、通す事によって、水が浄化されます。また、装置は、透明にすることで、汚れ具合が、一目出来て、水洗でする事によって、水の浄化が、再発揮できる。
【考案の効果】
【０００５】１．濾過フィルターを長く通るため、水槽の汚れが、軽減できる。
２．水槽の汚れる前に、濾過装置の汚れが判る。
３．濾過装置の掃除するとき、濾過装置内の水ごと、水槽から離別でき汚物が水槽に入らない。
４．数分で、濾過装置の掃除が出来る。
５．浄化ストーンの効果が有効に発揮できる構造になっている。
６．水中ポンプを使用のため、水深の制限が、極めてないので、亀のような、浅い水深のものでも有効。
【考案の実地するための最良の形態】
【０００６】  容器の上部に置き、下部の水中ポンプで装置容器の片側から、入水し、反対側から出水して引力で落下させる。常に、装置内には、浄化ストーンが、沈む程度の、水が入っている容器のこと。
【実地例】
【０００７】１．試作品を作り、試したところ、汚物が分離して、具合良く、濾過が進みました。
２．水中ポンプを稼動すると、水が思ったとおり流れ、最初に、汚物を分離しました。
３．フュルターを通過して、浄化ストーンを通過して、またフュルターを通過して、水槽の戻りました。
２．また、これまで、使用した、上置式の濾過装置に比べ、私の水槽の環境で、４倍の期間、長持ちをして水槽が濁ったり、黄ばんだりしません。
まだ、水槽内の濁り、汚れ、が出るところまでは、いたっていません。もちろん、病気にもなりません。水槽が、汚れる前に、濾過装置の汚れが判るため、掃除をすることが出来ます。
もっと、いろいろな魚を飼育したくなりました。
【産業上の利用可能性】
【０００８】１．簡易的に、水生動物を飼育できるので、この趣味の人が増え、業界が繁栄する。
これまで、金魚や熱帯魚を飼いたい人が、挑戦しますが、永く飼育することが出来ない理由の１つが、水管理の問題です。これが解決できると、飼育したい人は、多いと考えます。
２．浄化ストーンの効果が有効に発揮でき、この業界も繁栄する。
【図面の簡単な説明】
【０００６】
【図１】装置側面図（正面）で内部の断面
【図２】装置上面図
【図３】全体即面図（正面）
【図４】全体即面図水深の浅い図（正面）
【図５】洗浄するための離脱の図面
【符号説明】
【０００７】１    濾過装置本体
２    網版
３    フィルター
４    浄化ストーン
５    蓋
６    点線矢印水の流れ
７    水中ポンプ
８    水槽
９    キャップ
１０  水面
【図１】
0003122178.tif 000003
【図２】
0003122178.tif 000004
【図３】
0003122178.tif 000005
【図４】
0003122178.tif 000006
【図５】
0003122178.tif 000007
【手続補正書】
【提出日】平成18年1月12日(2006.1.12)
【手続補正２】
【補正対象書類名】明細書
【補正対象項目名】０００７
【補正方法】変更
【補正の内容】
【０００７】最初に図３の全体側面図で、説明すると、１濾過装置本体は、耐久性プラスチックで出来ていて、７水中ポンプを稼働すると、水が１濾過装置に入水します。
図１の濾過装置側面図の入水口▲１▼から水が入り、３フィルターで、大きな汚物が濾過されます。４浄化ストーンを通過、そして、また３フィルターを通過して、出水口▲２▼から、水槽の水が戻ります。また、図４のように、水槽の水面が、低くても水が循環でき、清掃の場合図５の用に簡単に離脱出来る。
【手続補正３】
【補正対象書類名】明細書
【補正対象項目名】０００９
【補正方法】変更
【補正の内容】
【０００９】
【図１】鑑賞魚用水濾過装置側面図（正面）
【図２】鑑賞魚用水濾過装置平面図
【図３】水槽と鑑賞魚用水濾過装置の全体即面図
【図４】水槽と鑑賞魚用水濾過装置の全体即面図水深の浅い図
【図５】洗浄するための水槽から鑑賞魚用水濾過装置を離脱する図面
【手続補正４】
【補正対象書類名】図面
【補正対象項目名】全図
【補正方法】変更
【補正の内容】
【図１】
0003122178.tif 000008
【図２】
0003122178.tif 000009
【図３】
0003122178.tif 000010
【図４】
0003122178.tif 000011
【図５】
0003122178.tif 000012
【手続補正書】
【提出日】平成18年1月12日(2006.1.12)
【手続補正１】
【補正対象書類名】実用新案登録請求の範囲
【補正対象項目名】全文
【補正方法】変更
【補正の内容】
【実用新案登録請求の範囲】
【請求項１】
観賞魚用水濾過装置は、水を常に溜めることが出来る、１容器で、
（１）側面上部に入水口▲１▼を設置
（２）相対する側面に出水口▲２▼を、設置
（３）内側に２網板が、設置
（４）３フィルター
（５）４浄化ストーン
以上の構成からなる観賞魚用水濾過装置です。